(57)【特許請求の範囲】
【請求項１】
複数の木質構造用パネルを平面視略ロ字状となるように組み立てて形成した中空柱が、建物躯体の周縁部のうち、対向する一方の側縁部および他方の側縁部に沿って所定の間隔で複数立設されており、
前記建物躯体の一方の側縁部に沿って所定の間隔で複数立設される中空柱は屋内側に配置されており、他方の側縁部に沿って所定の間隔で複数立設される中空柱は屋外側に配置されており、
これら複数の中空柱に囲まれた建物躯体の内部が、耐力壁のないオープンスペースとなっており、
下階から上階に吹き抜ける吹抜け部が水平方向に離間して複数設けられており、これら吹抜け部の下部は、下階に設けられた前記オープンスペースに連通しており、
これら複数の吹抜け部のうち、少なくとも一つの吹抜け部は、前記建物躯体の一方の側縁部に沿って所定の間隔で屋内側に立設されるとともに互いに隣り合う中空柱間に設けられていることを特徴とする建物。
【請求項２】
請求項１に記載の建物において、
前記オープンスペース内において前記建物躯体の周縁部に沿って立設された前記複数の中空柱どうし間に、一面側が開放されて凹部空間を有する断面コ字状の中間柱が複数立設されており、
前記中空柱と、前記中間柱の開放された一面とが対向して設けられていることを特徴とする建物。
【請求項３】
請求項１または２に記載の建物において、
少なくとも一つの吹抜け部には、上階から下階に至る階段が設けられていることを特徴とする建物。
【請求項４】
請求項１〜３のいずれか一項に記載の建物において、
前記中空柱の一面に開口部が設けられているとともに、この開口部を開閉する扉が設けられていることを特徴とする建物。
【発明の詳細な説明】
【技術分野】
【０００１】
本発明は、耐力壁のないオープンスペースを有する建物に関する。
【背景技術】
【０００２】
従来、工業化住宅の一つとして、例えば、桟材を矩形枠状に組み立て、この矩形枠内に必要に応じて補強桟材を縦横に組み付け、両面もしくは片面に合板等の面材を貼りつけたパネルを予め工場等で形成し、これを床、壁、屋根等の構造材として用い、施工現場でこれらのパネルを組み立てることにより住宅を構築するパネル工法が採用されている。
【０００３】
工場で組み立てられた床用・壁用・屋根用等のパネルは、トラック等で施工現場に運び込まれる。建築現場では、パネルの配設とパネル間の接合作業を行うだけで、短期間で床、壁、屋根等の住宅の基本構造を構築することができる。
【０００４】
パネル工法で構築される住宅において、例えば家屋下のガレージ等、幅広の開口が要求される場合には、水平方向に伸びる梁部と、梁部の両端から鉛直下方に伸びる柱部とからなる門型パネルが適用される。また、所定間隔をおいて１対の門型パネルを対向させ、両者の柱部を壁パネルで結合するとともに、梁部を床パネルで結合した門型パネルユニットを用いるものもある（例えば、特許文献１参照）。
【特許文献１】特許第２５６５６２６号明細書
【発明の開示】
【発明が解決しようとする課題】
【０００５】
ところで、従来より、建物の採光性や通気性を良くしたいという要望に対しては、奥行きに比べて間口の大きい南向きの建物とすることや、通気のし易い大きな窓を設けたり、天井に採光部を設けたりすることなどが行われている。また、建物内部において開放感を得たいという要望に対しては、部屋と部屋とを隔てる壁を可能な限り少なくすることなどが行われている。
【０００６】
ところが、採光性や通気性の向上または開放感を得るために、上述のように大きな窓を設けたり、壁を少なくしたり等の方法を採用した場合、建物自体の強度が低下してしまう場合があった。
また、上記特許文献１に記載のような門型パネルユニットを用いても、建物自体の強度を低下させることなく採光性や通気性を向上させるのには限界がある。
【０００７】
本発明の課題は、建物自体の強度を低下させることなく、採光性や通気性を向上させることができるとともに開放感を得ることができる建物を提供することを目的とする。
【課題を解決するための手段】
【０００８】
請求項１に記載の発明は建物Ａであり、例えば図１および図２に示すように、複数の木質構造用パネルを平面視略ロ字状となるように組み立てて形成した中空柱１が、建物躯体の周縁部のうち、対向する一方の側縁部および他方の側縁部に沿って所定の間隔で複数立設されており、
前記建物躯体の一方の側縁部に沿って所定の間隔で複数立設される中空柱１は屋内側に配置されており、他方の側縁部に沿って所定の間隔で複数立設される中空柱１は屋外側に配置されており、
これら複数の中空柱１に囲まれた建物躯体の内部が、耐力壁のないオープンスペース２となっており、
下階から上階に吹抜ける吹抜け部４ａ、４ｂが水平方向に離間して複数設けられており、これら吹抜け部４ａ、４ｂの下部は、下階に設けられた前記オープンスペース２ａに連通しており、
これら複数の吹抜け部４ａ、４ｂのうち、少なくとも一つの吹抜け部４ａ（４ｂ）は、前記建物躯体の一方の側縁部に沿って所定の間隔で屋内側に立設されるとともに互いに隣り合う中空柱１，１間に設けられていることを特徴とする。
【０００９】
請求項１に記載の発明によれば、複数の木質構造用パネルを平面視略ロ字状となるように組み立てることによって前記中空柱１が形成され、しかも、このような中空柱１が建物躯体の周縁部に沿って所定の間隔で複数立設されているので、建物Ａ自体の強度を十分に確保できる。
また、このように複数の中空柱１が建物躯体の周縁部に沿って所定の間隔で立設されているので、隣り合う中空柱どうし１、１間が幅広な開口となり、この幅広な開口に大きな窓を設けることができ、これによって建物Ａの採光性や通気性を向上させることが可能となる。
さらに、前記複数の中空柱１が建物躯体の周縁部に立設され、これら複数の中空柱１に囲まれた建物躯体の内部が、耐力壁のないオープンスペース２となっているので、部屋と部屋とを隔てる壁が可能な限り少なくなり、建物内部において開放感を得ることが可能となる。
また、下階に設けられたオープンスペース２ａに連通する複数の吹抜け部４ａ、４ｂが水平方向に離間して設けられているので、前記隣り合う中間柱３どうし間に設けられた幅広な開口から流入した外部の新鮮な空気が前記下階に設けられたオープンスペース２ａに行き渡るとともに、複数の吹抜け部４ａ、４ｂを通って上階に行き渡り、これら吹抜け部４ａ、４ｂを通して上下階で空気を循環させることが可能となる。しかも、このように複数の吹抜け部４ａ、４ｂが前記オープンスペース２ａに連通して設けられているので、建物内部において更に開放感を得ることが可能となる。
【００１０】
請求項２に記載の発明は、例えば図１および図２に示すように、請求項１に記載の建物Ａにおいて、
前記オープンスペース２内において前記建物躯体の周縁部に沿って立設された前記複数の中空柱どうし１、１間に、一面側が開放されて凹部空間を有する断面コ字状の中間柱３が複数立設されており、
前記中空柱１と、前記中間柱３の開放された一面とが対向して設けられていることを特徴とする。
【００１１】
請求項２に記載の発明によれば、前記中間柱３がオープンスペース２内に立設されているので、オープンスペース２を広くとっても建物Ａ自体の強度を十分に確保することできる。これによって、部屋と部屋とを隔てる壁が可能な限り少なくなり、建物内部において開放感を得ることが可能となる。
また、前記中間柱３の一面側が開放された凹部空間となっており、前記中空柱１と、前記中間柱３の開放された一面とが対向して設けられているので、前記中空柱１と前記中間柱３の開放された一面との間に、所定の広さの空間を形成することができ、該空間に対して居住者の生活様式に合わせた様々な機能を付与して有効利用することが可能となる。
【００１４】
請求項３に記載の発明は、例えば図１および図２に示すように、請求項１または２に記載の建物Ａにおいて、
少なくとも一つの吹抜け部４ａ（４ｂ）には、上階から下階に至る階段５が設けられていることを特徴とする。
【００１５】
請求項３に記載の発明によれば、少なくとも一つの吹抜け部４ａ（４ｂ）に階段５が設けられているので、別途階段設置用の階段室を設ける必要がなく、空間の有効利用を図ることができるとともに建物内部において開放感を得ることが可能となる。
【００１６】
請求項４に記載の発明は、例えば図１および図２に示すように、請求項１〜３のいずれか一項に記載の建物Ａにおいて、
前記中空柱１の一面に開口部１ａが設けられているとともに、この開口部１ａを開閉する扉１ｂが設けられていることを特徴とする。
【００１７】
請求項４に記載の発明によれば、平面視略ロ字状に形成された前記中空柱１の一面に開口部１ａが設けられているので、前記中空柱１の内部を、居住者の生活様式に合わせた様々な機能を付与して有効利用することができる。
また、前記開口部１ａを開閉する扉１ｂが設けられているので、前記中空柱１の内部を遮蔽することができる。すなわち、例えば前記中空柱１の内部を収納部として用いた場合や、排水管の配管のために用いた場合等において中空柱１の内部を隠すことができるので、外観性を向上することが可能となる。
【発明の効果】
【００１８】
本発明によれば、複数の木質構造用パネルを平面視略ロ字状となるように組み立てることによって前記中空柱が形成され、しかも、このような中空柱が建物躯体の周縁部に沿って所定の間隔で複数立設されているので、建物自体の強度を十分に確保できる。
また、このように複数の中空柱が建物躯体の周縁部に沿って所定の間隔で立設されているので、隣り合う中空柱どうし間が幅広な開口となり、この幅広な開口に大きな窓を設けることができ、これによって建物の採光性や通気性を向上させることが可能となる。
さらに、複数の中空柱が建物躯体の周縁部に立設され、これら複数の中空柱に囲まれた建物躯体の内部が、耐力壁のないオープンスペースとなっているので、部屋と部屋とを隔てる壁が可能な限り少なくなり、建物内部において開放感を得ることが可能となる。
そして、下階から上階に吹き抜ける吹抜け部が水平方向に離間して複数設けられているので、更に通気性の向上を図ることができるとともに、より一層の開放感を得ることが可能となる。
【発明を実施するための最良の形態】
【００１９】
以下、図面を参照して本発明に係る建物Ａの実施の形態について説明する。なお、本実施の形態の建物Ａは２階建てとなっており、図１が１階１０の平面図で、図２が２階２０の平面図となっている。
【００２０】
また、本実施の形態の建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
そして、このパネルとは、縦横の框材が矩形状に組み立てられるとともに、矩形枠の内部に補助棧材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００２１】
本実施の形態の建物Ａは、図１および図２に示すように、複数の木質構造用パネルを平面視略ロ字状となるように組み立てて形成した中空柱１が、建物躯体の周縁部に沿って所定の間隔で複数立設されており、
これら複数の中空柱１に囲まれた建物躯体の内部が、耐力壁のないオープンスペース２となっている。
【００２２】
ここで、前記中空柱１は、複数の木質構造用パネルを平面視略ロ字状となるように組み立てることによって形成されているので、この中空柱１は前記複数の木質構造用パネルに比して建物の強度を低下させることがない。そして、上述したように、このような中空柱１が建物躯体の周縁部に沿って所定の間隔で複数立設されている。
【００２３】
また、このように複数の中空柱１が建物躯体の周縁部に沿って所定の間隔で立設されていることによって、隣り合って立設する中空柱どうし１、１間に壁を設ける必要がなくなるので、隣り合う中空柱どうし１、１間を幅広な開口として形成することができるとともに、この幅広な開口に大きな窓１１、２１を設けることができるようになっている。
なお、本実施の形態の建物Ａにおいては、図１に示すように１階１０には５つの大きな窓１１ａ、１１ｂ、１１ｃ、１１ｄ、１１ｅが設けられており、図２に示すように２階２０には６つの大きな窓２１ａ、２１ｂ、２１ｃ、２１ｄ、２１ｅ、２１ｆが設けられている。
【００２４】
また、前記中空柱１の一面には開口部１ａが設けられている。これによって、前記中空柱１の内部を、居住者の生活様式に合わせた様々な機能を付与して有効利用することができるようになっている。
さらに、前記開口部１ａには、この開口部１ａを開閉する扉１ｂが設けられており、これによって、前記中空柱１の内部を遮蔽することができるようになっている。すなわち、例えば前記中空柱１の内部を収納部として用いた場合や、排水管の配管のために用いた場合等において中空柱１の内部を隠すことができるので、外観性を向上することが可能となる。
なお、前記中空柱１は本実施の形態では、前記開口部１ａを設けた構成としたが、これに限られるものではなく、前記中空柱１の内部を閉塞された空間として用いても良い。そして、この閉塞された空間には、例えば蓄熱材を入れるなどして、住環境の向上を図る工夫がなされていることが好ましい。
【００２５】
一方、図１および図２に示すように、１階１０、２階２０ともに、上述したように複数の中空柱１が建物躯体の周縁部に立設され、これら複数の中空柱１に囲まれた建物躯体の内部が、耐力壁のないオープンスペース２ａ、２ｂとなっており、部屋と部屋とを隔てる壁が可能な限り少なくなるように構成されている。
【００２６】
このオープンスペース２ａ、２ｂは、前記複数の中空柱１によって囲まれた箇所を指しており、図１に示すように１階１０のオープンスペース２ａにはリビング１２、ダイニング１３、キッチン１４、サロン１５、ゲストルーム１６、玄関１７、水回り室１８等が設けられている。一方、図２に示すように２階２０のオープンスペース２ｂには複数の吹抜け部４ａ、４ｂや複数の寝室２２、２３、バルコニー２２ａ、２２ｂ、２３ａ、２３ｂ等が設けられている。
【００２７】
また、前記オープンスペース２内において前記建物躯体の周縁部に沿って立設された前記複数の中空柱どうし１、１間に、一面側が開放されて凹部空間を有する断面コ字状の中間柱３が複数立設されており、前記中空柱１と、前記中間柱３の開放された一面とが対向して設けられた状態となっている。
【００２８】
このように前記中間柱３がオープンスペース２内に立設されていることによって、オープンスペース２を広くとっても建物Ａ自体の強度を十分に確保することできる。
また、前記中間柱３の一面側が開放された凹部空間となっており、前記中空柱１と、前記中間柱３の開放された一面とが対向して設けられているので、前記中空柱１と前記中間柱３の開放された一面との間に、所定の広さの空間を形成することができ、該空間に対して居住者の生活様式に合わせた様々な機能を付与して有効利用することが可能となっている。
なお、本実施の形態においては、図１に示すように、前記中空柱１と前記中間柱３の開放された一面との間に暖炉を設置している。また、図２に示すように、暖炉１２ａが設置された上部には、前記中空柱１と前記中間柱３の開放された一面との間に排煙筒１２ｂが設置されている。
【００２９】
ここで、図１に示す前記リビング１２、ダイニング１３およびキッチン１４等の共用居住空間は、下階のオープンスペース２ａ内に設けられているので、開放された空間となっている。
すなわち、玄関１７から建物Ａ内に入り、前記オープンスペース２ａ内へ進むと、部屋と部屋とを隔てる壁が可能な限り少ないので、前記共用居住空間を見渡すことができるようになっている。これによって、例えば、１階１０と２階２０との行き来をする場合には、前記共用居住空間を必ず通過することになるので、居住者どうしのコミュニケーションの機会を容易に得ることができるようになる。
【００３０】
なお、前記キッチン１４を囲むようにして立設する中空柱１の内部は収納部１４ａとなっており、図示はしないが、例えば食物や飲み物を始めとする食料品や、台所用品等を収納することができるようになっている。
【００３１】
また、この共用居住空間には、前記リビング１２、ダイニング１３およびキッチン１４の他に、２階２０から１階１０に至る階段５を備えたサロン１５が配されている。
【００３２】
前記ゲストルーム１６は、前記共用居住空間とは隔たった部屋となっている。すなわち、図１に示すように、前記中空柱１と前記中間柱３との間に仕切り壁１６ａが設置され、これら中空柱１、中間柱３および仕切り壁１６ａに囲まれた箇所がクローゼット１６ｂとなっており、このクローゼット１６ｂによってゲストルーム１６と前記共用居住空間とが隔てられて構成されている。
【００３３】
また、このゲストルーム１６の隣りには、玄関１７を挟んで前記水回り室１８が設けられている。この水回り室１８は、図１中、左右に隣り合う中空柱どうし１、１間に配置されており、外部に浴槽１８ａを備えた浴室１８ｂと、洗面室１８ｃとを備えているとともに、中空柱１の内部に１階用トイレ１８ｄが設けられた状態となっている。
【００３４】
そして、上述した１階１０に設けられた大きな窓１１ａ、１１ｂ、１１ｃ、１１ｄ、１１ｅは、図１に示すように、前記リビング１２を始め、ダイニング１３、キッチン１４、サロン１５およびゲストルーム１６に設けられており、中でも、前記リビング１２、ダイニング１３およびゲストルーム１６に設けられた大きな窓１１ａ、１１ｂ、１１ｅは開閉可能な状態となっている。また、これら開閉可能な大きな窓１１ａ、１１ｂ、１１ｅの外部はウッドデッキ１９となっており、このウッドデッキ１９を通じて前記ゲストルーム１６と共用居住空間とを行き来することができるようになっている。
【００３５】
次に、図２に示すように２階２０には、１階１０から２階２０に吹抜ける吹抜け部４ａ、４ｂが水平方向に離間して複数設けられており、これら吹抜け部４ａ、４ｂの下部は、１階１０に設けられた前記オープンスペース２ａに連通している。また、これら複数の吹抜け部４ａ、４ｂの両隣に１つずつ寝室２２、２３が設けられた状態となっている。
【００３６】
さらに詳細には、図２中、２階２０の中央部分に前記２つの寝室２２、２３に架設されるようにして設けられたブリッジ廊下２４を挟んで、第１および第２の吹抜け部４ａ、４ｂが設けられた状態となっている。
【００３７】
前記第１の吹抜け部４ａの下部は前記サロン１５となっており、上述したように、２階２０から１階１０に至る階段５が設けられている。そして、このように少なくとも一つの吹抜け部４ａに階段５を設けておくことによって、別途階段設置用の階段室を設ける必要がないので、空間の有効利用を図ることができるとともに建物内部において開放感を得ることができるようになっている。
なお、この階段５は、図２に示すように、螺旋階段となっており、前記ブリッジ廊下２４が階段ホールを兼ねた状態となっている。
【００３８】
前記第２の吹抜け部４ｂの下部は前記リビング１２となっている。すなわち、前記リビング１２は居住者が集まる場所であり、このようにリビング１２の上部を吹抜けとすることによって、開放感を得ることができるので、居住性の向上を図ることができる。
【００３９】
また、前記リビング１２、サロン１５等のオープンスペース２ａに連通する第１および第２の吹抜け部４ａ、４ｂが水平方向に離間して設けられていることによって、前記隣り合う中間柱３どうし間に設けられた幅広な開口から流入した外部の新鮮な空気が前記１階に設けられたオープンスペース２ａに行き渡るとともに、複数の吹抜け部４ａ、４ｂを通って２階に行き渡り、これら吹抜け部４ａ、４ｂを通して１、２階で空気を循環させることが可能となる。
しかも、このように複数の吹抜け部４ａ、４ｂが前記オープンスペース２ａに連通して設けられているので、建物内部において更に開放感を得ることが可能となる。
【００４０】
一方、前記複数の寝室２２、２３は、上述したように、前記第１および第２の吹抜け部４ａ、４ｂの両隣に設けられており、図２中おいて上下２箇所にバルコニー２２ａ、２２ｂ、２３ａ、２３ｂが設けられた状態となっている。なお、一方の寝室２２を囲む中空柱１のうち、一つの中空柱１の内部には２階用トイレ２５が設けられている。
【００４１】
そして、上述した２階２０に設けられた大きな窓２１ａ、２１ｂ、２１ｃ、２１ｄ、２１ｅ、２１ｆは、図２に示すように、前記第１の吹抜け部４ａを始め、第２の吹抜け部４ｂ、一方の寝室２２に２箇所、他方の寝室２３に２箇所設けられており、中でも、前記両方の寝室２２、２３の各窓２１ｃ、２１ｄ、２１ｅ、２１ｆは開閉可能な状態となっている。また、これら開閉可能な大きな窓２１ｃ、２１ｄ、２１ｅ、２１ｆの外部は前記バルコニー２２ａ、２２ｂ、２３ａ、２３ｂとなっている。
【００４２】
なお、本実施の形態の建物Ａの間取りは以上のように構成されているが、これに限られるものではなく、本発明の趣旨を逸脱しない範囲で適宜変更可能であることは言うまでもない。
また、図示はしないが、本実施の形態において前記中空柱１の内部を１階用トイレ１８ｄや２階用トイレ２５、または収納部１４ａ等として用いたが、これに限られるものではない。すなわち、例えば、空気の吹き出し口を設けて冷暖房機置き場として用いたり、蓄熱材を収納して前記中空柱１自体を蓄熱体として用いたり等、様々な用途に用いることが可能となっており、本発明の趣旨を逸脱しない範囲で適宜変更可能となっている。
【００４３】
本実施の形態によれば、複数の木質構造用パネルを平面視略ロ字状となるように組み立てることによって前記中空柱１が形成され、しかも、このような中空柱１が建物躯体の周縁部に沿って所定の間隔で複数立設されているので、建物Ａ自体の強度を十分に確保できる。
また、このように複数の中空柱１が建物躯体の周縁部に沿って所定の間隔で立設されているので、隣り合う中空柱どうし１、１間が幅広な開口となり、この幅広な開口に大きな窓１１、２１を設けることができ、これによって建物Ａの採光性や通気性を向上させることが可能となる。
さらに、前記複数の中空柱１が建物躯体の周縁部に立設され、これら複数の中空柱１に囲まれた建物躯体の内部が、耐力壁のないオープンスペース２となっているので、部屋と部屋とを隔てる壁が可能な限り少なくなり、建物内部において開放感を得ることが可能となる。
そして、下階から上階に吹抜ける吹抜け部４ａ、４ｂが水平方向に離間して複数設けられているので、更に通気性の向上を図ることができるとともに、より一層の開放感を得ることが可能となる。
【図面の簡単な説明】
【００４４】
【図１】本発明の建物の１階を示す平面図である。
【図２】本発明の建物の２階を示す平面図である。
【符号の説明】
【００４５】
Ａ  建物
１  中空柱
２  オープンスペース
３  中間柱
４  吹抜け部
１０  １階
２０  ２階
【図１】
0004843290.tif 000002
【図２】
0004843290.tif 000003